(57)【要約】【課題】  左右排気系の熱延び差によって発生する応力による耐久性の悪化を防止することができるデュアル触媒コンバータ用接続ブラケット構造の提供。【解決手段】  両触媒コンバータ１、相互間に掛け渡し、その両端縁部に沿ってそれぞれ触媒コンバータ１、１に溶接Ｐ１、Ｐ１して固定するようにしたデュアル触媒コンバータ用接続ブラケット構造であって、接続ブラケット２はその両端部２２、２２と中間部２１とで相互の熱延びの差を吸収するように面方向に曲線が形成されている。【選択図】      図２
2009293539.tif 000002
【特許請求の範囲】
【請求項１】
併設された２つの排気系相互間に掛け渡し、その両端縁部に沿ってそれぞれ排気系に溶接固定するようにしたデュアル排気系用接続ブラケット構造であって、
前記接続ブラケットはその両端部と中間部とで相互の熱延びの差を吸収するように面方向に曲線が形成されているデュアル排気系用接続ブラケット構造。
【請求項２】
請求項１に記載のデュアル排気系用接続ブラケット構造において、
前記２つの排気系が触媒コンバータであることを特徴とするデュアル排気系用接続ブラケット構造。
【請求項３】
請求項１または２に記載のデュアル排気系用接続ブラケット構造において、
前記面方向の曲線が複数の波状に形成されていることを特徴とするデュアル排気系用接続ブラケット構造。
【請求項４】
請求項１〜３のいずれか１項に記載のデュアル排気系用接続ブラケット構造において、
前記接続ブラケットは、その長手方向両側縁部又は中間部の少なくとも１箇所に補強リブが形成されていることを特徴とするデュアル排気系用接続ブラケット構造。
【発明の詳細な説明】
【技術分野】
【０００１】
本発明は、デュアル排気系用接続ブラケット構造に関する。
【背景技術】
【０００２】
従来、触媒コンバータが２個並設されたデュアル触媒コンバータのように左右独立した排気系では、振動を抑えるために両触媒コンバータ相互間に板状のブラケットを掛け渡し、その両端縁部に沿ってそれぞれ触媒コンバータに溶接固定するようにしている（例えば、特許文献１参照。）。
【特許文献１】特開平１１−３０１２８８号公報
【発明の開示】
【発明が解決しようとする課題】
【０００３】
しかしながら、従来例のデュアル触媒コンバータ用接続ブラケット構造にあっては、左右の排気系において、１−４気筒側チューブと２−３気筒側チューブの長さが違う為、入熱時に、左右の排気系で熱延び差が生じ、板状ブラケットと両触媒コンバータの固定点（溶接部）に応力が発生し、耐久性を悪化させるという問題点があった。
【０００４】
本発明の解決しようとする課題は、左右排気系の熱延び差によって発生する応力による耐久性の悪化を防止することができるデュアル排気系用接続ブラケット構造を提供することにある。
【課題を解決するための手段】
【０００５】
上記課題を解決するため請求項１記載のデュアル排気系用接続ブラケット構造は、併設された２つの排気系相互間に掛け渡し、その両端縁部に沿ってそれぞれ排気系に溶接固定するようにしたデュアル排気系用接続ブラケット構造であって、接続ブラケットはその両端部と中間部とで相互の熱延びの差を吸収するように面方向に曲線が形成されていることを特徴とする手段とした。
【発明の効果】
【０００６】
本発明のデュアル触媒コンバータ用接続ブラケット構造では、上述のように、接続ブラケットはその両端部と中間部とで面方向に曲線が形成されている構成とすることで面方向への剛性が弱くなるため、排気ガスによる入熱時に左右の排気系で熱延び差が生じ、板状の接続ブラケットに応力が作用すると、該接続ブラケットが面方向でねじれる方向に変形することで、熱延びによる左右の変形差が吸収され、これにより、接続ブラケットと両触媒コンバータの固定点（溶接部）に作用する応力が軽減される。
従って、左右排気系の熱延び差によって発生する応力による耐久性の悪化を防止することができるようになるという効果が得られる。
【発明を実施するための最良の形態】
【０００７】
以下にこの発明の実施例を図面に基づいて説明する。
【実施例１】
【０００８】
この実施例のデュアル排気系用接続ブラケット構造は、請求項１〜３に記載の発明に対応する。
【０００９】
まず、この実施例のデュアル排気系用接続ブラケット構造を図面に基づいて説明する。
【００１０】
図１はこの実施例のデュアル排気系用接続ブラケット構造を示す斜視図、図２は図１のＡ１−Ａ１線における拡大縦断面図、図３は接続ブラケットを示す斜視図、である。
【００１１】
このデュアル排気系用接続ブラケット構造は、横方向に併設された一対の触媒コンバータ（排気系）１、１と、接続ブラケット２と、を備えている。
【００１２】
さらに詳述すると、触媒コンバータ１、１は、図１に示すように、例えば、図示を省略した４気筒エンジンの各気筒に接続されたエキゾーストマニホールドにおいて、１−４気筒側チューブ３１、３４と、２−３気筒側チューブ３２、３３をそれぞれ集合した集合パイプ４１、４２にそれぞれ接続され、それぞれ２系列で排気ガスの浄化を行なうようになっている。
【００１３】
そして、この各触媒コンバータ１は、円筒状の外筒１１内に排気浄化触媒が担持された触媒担体１２が収容され、外筒１１の両端開口部に排気を触媒担体にスムーズに導入導出するディフューザ１３がそれぞれ接続されている。
【００１４】
接続ブラケット２は、左右独立した排気系における振動を抑える役目をなすもので、両触媒コンバータ１、１相互間に掛け渡し、その両端縁部に沿ってそれぞれ触媒コンバータ１、１に溶接Ｐ１、Ｐ１して固定することにより、両触媒コンバータ１、１をその外面側で連結している。
【００１５】
この接続ブラケット２は、図２、３に示すように、板状で、溶接固定される長手方向両端部２２、２２より中間部２１が排気ガスの上流側へ向けて面方向へ突出するように曲線が形成されている。
そして、接続ブラケット２の長手方向両側縁部には上向きに補強リブ２３、２３が折曲形成されている。
【００１６】
次に、この実施例の作用・効果を説明する。
【００１７】
この実施例のデュアル触媒コンバータ用接続ブラケット構造では、上述のように、接続ブラケット２を、両触媒コンバータ１、１に対して溶接固定される長手方向両端部２２、２２より中間部２１が高くなるように板厚方向に高低差が形成されている構造とすることで、排気ガスによる入熱時に左右の排気系で熱延び差が生じ、板状の接続ブラケット２に応力が作用すると、該接続ブラケット２が面方向にねじれる方向に変形することで、熱延びによる左右の変形差が吸収され、これにより、接続ブラケット２と両触媒コンバータ１、１の固定点（溶接Ｐ１、Ｐ１部）に作用する応力が軽減される。
従って、左右排気系の熱延び差によって発生する応力による耐久性の悪化を防止することができるようになるという効果が得られる。
【００１８】
また、接続ブラケット２の長手方向両側縁部には上向きに補強リブ２３、２３が折曲形成されている構成とすることで、振動抑制方向（熱延び方向と直交する方向）の剛性を維持しつつ、熱延びによるねじれ方向の剛性が低くなって変形し易いように接続ブラケット２の板厚を薄くすることができるようになる。
また、補強リブ２３、２３を立てることにより、振動抑制方向の剛性を維持しつつ接続ブラケット２の幅を狭くすることができ、これにより、熱延び方向の剛性をさらに小さくすることができる。
【００１９】
以上本実施例を説明してきたが、本発明は上述の実施例に限られるものではなく、本発明の要旨を逸脱しない範囲の設計変更等があっても、本発明に含まれる。
【００２０】
例えば、実施例では、両触媒コンバータ１、１に対して溶接固定される長手方向両端部２２、２２より中間部２１が高くなるように板厚方向に高低差が形成されている構造としたが、図４に示すように、両端部２２、２２より中間部２１が面方向に複数のジグザク状曲線を形成してもよい。
【００２１】
また、実施例では、両触媒コンバータ１、１を接続ブラケット２で接続固定する例を示したが、両触媒コンバータ１、１の下流側の排気パイプを接続固定するようにしてもよい。
【００２２】
また、実施例では、両触媒コンバータ１、１の外筒１１、１１に溶接固定する例を示したが、遮熱板が付設されている場合は、接続ブラケット２を遮熱板に対して溶接固定する。
【００２３】
また、接続ブラケット２は、固定部材を介して車体床下につり下げた状態で取り付けるようにしてもよい。
【図面の簡単な説明】
【００２４】
【図１】実施例のデュアル触媒コンバータ用接続ブラケット構造を示す斜視図である。
【図２】図１のＡ１−Ａ１線における拡大縦断面図である。
【図３】接続ブラケットを示す斜視図である。
【図４】接続ブラケットの他の実施例を示す斜視図である。
【符号の説明】
【００２５】
１  触媒コンバータ（排気系）
１１  外筒
１２  触媒担体
１３  ディフューザ
２  接続ブラケット
２１  中間部
２２  両端部
２３  補強リブ
３１  １気筒側チューブ
３２  ２気筒側チューブ
３３  ３気筒側チューブ
３４  ４気筒側チューブ
４１  集合パイプ
４２  集合パイプ
５  排気パイプ（排気系）
Ｐ１  溶接
【図１】
2009293539.tif 000003
【図２】
2009293539.tif 000004
【図３】
2009293539.tif 000005
【図４】
2009293539.tif 000006